(57)【特許請求の範囲】
【請求項１】
煙草製品パッケージ（１）が、包装材の軸方向の端にある２つの折り曲げ部分により軸方向で閉じられた包装材のチューブ状内シートに包まれた煙草群（２）と、この煙草群（２）を包囲する外パッケージ（３）とを備え、ブランク（２４）を折ることによって形成される前記外パッケージが、平行六面体の形をなし、包装材の内シートの第１の端の折り曲げ部分と接触する天壁（１２）と、この天壁（１２）に平行で、包装材の内シートの第２の端の折り曲げ部分と接触する底壁（１３）と、前記天壁と底壁（１２、１３）に垂直な多数の横壁（８、９、１０、１１）とを備え、
前記ブランク（２４）が、２本の横折り目線（２５）と、第１の小さい方の横壁（８）の部分を形成する第１のパネル（８’）、この２本の横折り目線（２５）の間で、第１の大きい方の横壁（１１）を形成する第２のパネル（１１’）、第２の小さい方の横壁（９）の部分を形成する第３のパネル（９’）、第２の大きい方の横壁（１０）を形成する第４のパネル（１０’）、及び、前記第１の小さい方の横壁（８）の残りを形成する第５のパネル（８”）を画定する多数の縦折り目線（２６）とを備え、
前記第２及び第４のパネル（１０’、１１’）が各々、２つの大きい方のタブ（２７）を備え、これらが、前記第２又は第４のパネル（１０’、１１’）の向き合った端に位置し、前記２本の横折り目線（２５）により前記第２又は第４のパネル（１０’、１１’）から分離され、前記底壁及び天壁（１３、１２）の部分をそれぞれ形成し、
前記第３及び第５のパネル（９’、８”）が各々、２つの小さい方のタブ（２８）を備え、これらが、前記第３及び第５のパネル（９’、８”）の向き合った端に位置し、前記２本の横折り目線（２５）により前記第３及び第５のパネル（９’、８”）から分離され、前記底壁及び天壁（１３、１２）の部分をそれぞれ形成し、
前記天壁（１２）の部分を形成する第１の大きい方のタブ（２７ａ）が前記天壁（１２）と同じ形状、同じ寸法であり、かつ、
前記天壁（１２）の部分を形成する第２の大きい方のタブ（２７ａ）と、前記天壁（１２）の部分を形成する小さい方のタブ（２８ａ）の高さが、前記第１の大きい方のタブ（２７ａ）の高さの半分より小さい、パッケージを製造する方法において、
前記包装材の内シートを、２つの開いた端を残して前記煙草群（２）を包むようにチューブ状に折る工程と、
前記ブランク（２４）を、前記煙草群（２）を包むようにチューブ状に折り、先に折られた前記包装材の内シートの上で折る工程と、
前記包装材の内シートの第１の開いた端（３０）を前記大きい方のタブ（２７ａ）及び小さい方のタブ（２８ａ）と共に折り、前記天壁（１２）の部分を形成する工程と、
前記包装材の内シートの第２の開いた端（３１）を前記大きい方のタブ（２７ｂ）及び小さい方のタブ（２８ｂ）と共に折り、前記底壁（１３）の部分を形成する工程とを備えていることを特徴とするパッケージを製造する方法。
【請求項２】
前記ブランク（２４）を折って前記天壁（１２）を形成する操作が、
前記天壁（１２）の部分を形成する前記小さい方のタブ（２８ａ）と前記包装材の内シートの対応部分（３２）を共に前記煙草群（２）の上に折る工程と、
前記第２の大きい方のタブ（２７ａ）と前記包装材の内シートの対応部分（３３）を共に煙草群（２）の上に折る工程と、
前記第１の大きい方のタブ（２７ａ）と前記包装材の内シートの対応部分（３４）を共に前記煙草群（２）の上に折り、先に折られた前記第２の大きい方のタブ（２７ａ）と前記小さい方のタブ（２８ａ）の上で折り、こうして、前記包装材の内シートの対応部分（３４）が前記第２の大きい方のタブ（２７ａ）及び前記小さい方のタブ（２８ａ）と重ならないようにする工程とを備えていることを特徴とする、請求項１に記載の方法。
【請求項３】
前記底壁（１３）の部分を形成する第３の大きい方のタブ（２７ｂ）が前記底壁（１３）と同じ形状、同じ寸法であり、かつ、
前記底壁（１３）の部分を形成する第４の大きい方のタブ（２７ａ）が前記第３の大きい方のタブ（２７ｂ）と同じ高さであり、
前記ブランク（２４）を折って前記底壁（１３）を形成する操作が、
前記小さい方のタブ（２８ｂ）と前記包装材の内シートの対応部分（３５）を共に煙草群（２）の上に折る工程と、
前記第４の大きい方のタブ（２７ｂ）と前記包装材の内シートの対応部分（３６）を共に煙草群（２）の上に折る工程と、
前記第３の大きい方のタブ（２７ｂ）と前記包装材の内シートの対応部分（３７）を共に煙草群（２）の上に折り、先に折られた前記第４の大きい方のタブ（２７ｂ）と前記小さい方のタブ（２８ｂ）の上で折り、こうして、前記包装材の内シートの対応部分（３７）が前記第４の大きい方のタブ（２７ｂ）及び前記小さい方のタブ（２８ｂ）と重なるようにする工程とを備えていることを特徴とする、請求項１又は２に記載の方法。
【請求項４】
前記第１の大きい方のタブ（２７ａ）は矩形であり、
前記第２の大きい方のタブ（２７ａ）は、大きい方の底辺が横折り目線（２５）と一致する等脚台形であり、
前記天壁（１２）の部分を形成する小さい方のタブ（２８ａ）は、各々二等辺三角形で、前記ブランク（２４）を折った時に前記第２の大きい方のタブ（２７ａ）と重ならないような形であることを特徴とする、請求項１〜３のいずれか一項に記載の方法。
【請求項５】
前記底壁（１３）の部分を形成する第３の大きい方のタブ（２７ｂ）が前記底壁（１３）と同じ形状、同じ寸法であり、かつ、
前記底壁（１３）の部分を形成する第４の大きい方のタブ（２７ａ）が前記第３の大きい方のタブ（２７ｂ）と同じ高さであることを特徴とする、請求項１〜４のいずれか一項に記載の方法。
【請求項６】
前記第３の大きい方のタブ（２７ｂ）は矩形であり、
前記第４の大きい方のタブ（２７ｂ）は、大きい方の底辺が横折り目線（２５）と一致する等脚台形の底辺と矩形の付属部分（３９）を備える合成形状であることを特徴とする、請求項５に記載の方法。
【請求項７】
前記底壁（１３）の部分を形成する小さい方のタブ（２８ｂ）が各々正三角形で、前記ブランク（２４）を折った時に前記第４の大きい方のタブ（２７ｂ）と重ならないような形であることを特徴とする、請求項６に記載の方法。
【請求項８】
前記第３の大きい方のタブ（２７ｂ）及び前記第４の大きい方のタブ（２７ｂ）は、各々、大きい方の底辺が横折り目線（２５）と一致するほぼ等脚の台形であり、
前記底壁（１３）の部分を形成する小さい方のタブ（２８ｂ）は、各々、大きい方の底辺が横折り目線（２５）と一致するほぼ等脚の台形であることを特徴とする、請求項５に記載の方法。
【請求項９】
前記外パッケージ（３）が、頂端（５）の開いたカップ形容器（４）を備え、前記容器（４）にヒンジ（７）に沿って留められたカップ形の蓋（６）が、その開いた頂端（５）を開閉した時の開位置と閉位置の間を前記容器（４）に関して回転することを特徴とする、請求項１〜８のいずれか１項に記載の方法。
【請求項１０】
前記ヒンジ（７）が前記外パッケージ（３）の横壁（８）に位置することを特徴とする、請求項９に記載の方法。
【請求項１１】
前記外パッケージ（３）が、矩形横断面を有し、２つの向き合った平行な大きい方の横壁（１０、１１）と、２つの向き合った平行な小さい方の横壁（８、９）とを備え、前記ヒンジ（７）が前記外パッケージ（３）の小さい方の横壁（８）に位置することを特徴とする、請求項９又は１０に記載の方法。
【請求項１２】
前記ブランク（２４）は前記容器（４）と前記蓋（６）を分離するほぼ横方向の切り取り線（２９）を備えることを特徴とする、請求項９〜１１のいずれか一項に記載の方法。
【発明の詳細な説明】
【技術分野】
【０００１】
本発明は、煙草製品用の剛性パッケージを製造するためのブランクに関する。
【０００２】
本発明は、例えば、剛性のヒンジ式蓋付き煙草パケットを製造するためのブランクに有利に適用される。以下の記述は、純粋に例示を目的とするものである。
【背景技術】
【０００３】
剛性のヒンジ式蓋付き煙草パケットは、作り易く、使い易く実用的であり、また、中の煙草を効果的に保護することにより、現在、最も多く市販されている。
【０００４】
剛性のヒンジ式蓋付き煙草パケットは、フォイルシートに包まれた煙草群、及び、この煙草群を収容する剛性の外パッケージを備える。外パッケージは、煙草群を収容する頂端の開いたカップ形容器を備え、この容器にヒンジ式に留められたカップ形の蓋が、その頂端を開閉した時の開位置と閉位置の間を容器に関して回転する。通常、カラーが、開いた端から外に向かって部分的に突き出るように容器内側に折られて取り付けられており、蓋が閉位置にある時、カラーは対応する蓋内面と噛み合う。
【０００５】
最近、ヒンジが小さい方の横縁に平行に位置する形の剛性のヒンジ式蓋付き煙草パケットが提案された。
【０００６】
既存の包装機の中に、包装材の内シートの端と外シートの端を煙草群の上で折り重ねるタイプのものが幾つかあるが、この種の包装機では、提案されたタイプの包み箱用の標準ブランクが使用できない。なぜなら、包装材の内シートの端とブランクを折った時、包装材の内シートの一部がブランク（すなわち、包装材の外シート）の端タブ同士の間で“捕まる”ので、最初に蓋を開けた時に包装材の内シートの一部が蓋と一緒に持ち上げられ、それにより、包装材の内シートの折り目が変えられ、煙草包み箱内側の閉まりがひどく損なわれることになるからである。
【０００７】
その上、大きい方の横縁に平行にヒンジ式に留められた標準包み箱と比べて、提案されたタイプの包み箱は、はるかに大きいカラーを有する。従って、標準包み箱製造用に設計された既存の包装機において提案されたタイプの包み箱を製造するのは、比較的大きいサイズの包み箱のカラーを小さい方の横縁に平行にヒンジ式に留められることになるので、問題を起こしかねない（すなわち、加えられる変更の数の多さからコストの問題）を起こしかねない。カラーのサイズの問題に対する可能な解決策の１つが、カラーを組み込んだブランクを使用することである。つまり、カラーを包装機に送る前にブランク本体に接合しておいてよく（通常はブランク製造者が行う）、そうすることにより、包装機に送られたブランクは各々、それぞれのカラーが正しい位置に膠着させられた状態で取り付けられることになる。
【０００８】
最も普通の実施例では、カラーを組み込んだブランクが、外パッケージを形成する本体と、カラーを形成する端付属片を備え、この端付属片が少なくとも１つの接合パネルによりブランク本体に接合されており、これにより、カラーを包装機に送る前に折ってブランク本体に膠着させることができる。
【０００９】
欧州特許出願第０６７１３４２号は、剛性のヒンジ式蓋付き煙草パケットと同一の設計で、カラーを組み込んだブランク、すなわち、カラーを画定し、少なくとも１つの接合パネルによりブランク本体に接合された端付属片を備えるブランクから形成された煙草カートンについて述べている。詳記するならば、ブランクは、一端で折り目線に沿って蓋の前壁に接合され、他端でタブに接合された前壁を備え、Ｔ字形の端付属片が、タブの自由縁の中間部分に接合され、カラーを画定するように容器の前壁の上に折られている。
【００１０】
米国特許出願第５２００４０５０７２６号は、剛性のヒンジ式蓋付き煙草パケットと同一の設計で、カラーを組み込んだブランクから形成された煙草カートンについて述べている。ブランクは、印刷された面と印刷されていない面を有し、容器とカートンの蓋を画定する主要部分、及び、カラーを画定し、第１の部分と２つの接合アームを備える端付属片を備え、両アームが向き合った端に、主要部分と第１の部分をそれぞれヒンジ式に留める第１の折り目線と第２の折り目線を有する。両アームをそれぞれの第１の折り目線を中心として回転させてブランクを折る。これにより、アームが主要部分に付着する。アームを回転させ、端付属片をそれぞれの第２の折り目線を中心として回転させる。これにより、第１の部分の印刷された面が主要部分の印刷されていない面に付着し、カートンを組み立てた時、カラーの印刷された面が外側に出る。
【００１１】
米国特許出願第２００４０３５７２２号は、剛性のヒンジ式蓋付き煙草パケットと同一の設計で、カラーを組み込んだブランクから形成された煙草カートンについて述べている。ブランクは、第１の軸に沿って揃えられた中央パネル、この中央パネルと並んだ2つの横パネル、端パネル、及び、第１の軸に垂直な第２の軸に沿って中央パネルと揃えられ、中央パネルに接合された蓋形成用の付属部分を備える。カラーは、容器の一部分を形成し、容器の前壁の所与部分と容器の横壁のそれぞれの所与部分の型押しによる変形によって形成される。
【００１２】
国際公開公報第２００５／１１５８５２号は、剛性のヒンジ式蓋付き煙草パケットと同一の設計で、カラーを組み込んだブランクから形成された煙草カートンについて述べている。多様な実施例において、煙草カートンは、標準の煙草包み箱、すなわち、小さい方の横縁に平行にヒンジ式に留められた煙草包み箱に似ていてよい。カラーは、Ｕ字形の接合材によりブランク本体に接合され、第１の横折り目線と第２の縦折り目線に沿った２回続けての折り操作により仕上げ位置に折り入れられる。詳記するならば、カラーは、第２の縦折り目線に沿って接合材に接合され、この接合材は第１の横折り目線に沿ってブランク本体に接合される。
【発明の開示】
【発明が解決しようとする課題】
【００１３】
本発明の課題は、煙草製品用の剛性パッケージを製造するためのブランクとして、上述の欠点を無くすべく設計されると同時に安価かつ容易に生産できるブランクを提供することである。
【課題を解決するための手段】
【００１４】
この課題は、本発明に従い、付記請求項に記載する通りの煙草製品用の剛性パッケージを製造するためのブランクをもって解決される。
【発明を実施するための最良の形態】
【００１５】
以下、本発明の多数の無制限の実施例を添付図面に則して詳細に説明する。
【００１６】
図１〜４において、番号１はフォイルシートに包まれた煙草群２を備える剛性の煙草パケットと、煙草群２を収容する剛性の外パッケージ３の全体を指す。外パッケージ３は、頂端５の開いたカップ形容器４（それ自体は図３に示してある）を備え、この容器４にヒンジ７に沿って留められたカップ形の蓋６が、その開いた頂端５を開閉した時の開位置（図２）と閉位置（図１）の間を容器４に関して回転する。
【００１７】
蓋６は、好ましくは高さが変えられ、その最小高さがヒンジ７の位置である。容器４の高さは明らかに蓋６の高さと相補的関係にあり、それゆえ、その最大高さがヒンジ７の位置である。
【００１８】
蓋６が閉位置にある時、外パッケージ３は矩形断面の平行六面体の形をなし、向き合った２つの平行な小さい方の横壁８及び９、向き合った２つの平行な大きい方の横壁１０及び１１、天壁１２、及び、この天壁１２と平行に向き合う底壁１３を備える。横壁８、９、１０、１１は、明らかに天壁１２及び底壁１３に垂直であり、小さい方の横壁８及び９は大きい方の横壁１０及び１１より小さい。
【００１９】
蓋６のヒンジ７は、小さい方の横壁８の上に位置する。それゆえ、これが外パッケージ３も画定し、他方、小さい方の横壁９は外パッケージ３の正面壁を画定する。
【００２０】
外パッケージ３は、横壁８、９、１０、１１の間で画定された４つの縦縁１４、及び、天壁１２と底壁１３と横壁８、９、１０、１１の間で画定された８つの横縁１５を有する。
【００２１】
煙草パケット１はカラー１６も備え（それ自体は図４に示してある）、これはチューブ状で、煙草群２と外パッケージ３の間で煙草群２を包んでチューブ状に折られ、蓋６が閉位置にある時に蓋６の内面と噛み合うように容器４の開いた頂端５から一部突き出る。
【００２２】
図４に示した通り、カラー１６は、外パッケージ３の小さい方の横壁８の内面に接触する位置に設けられた小さい方の横壁１７、外パッケージ３の小さい方の横壁９の内面に接触する位置に設けられた小さい方の横壁１８、外パッケージ３の大きい方の横壁１０の内面に接触する位置に設けられた大きい方の横壁１９、及び、外パッケージ３の大きい方の横壁１１の内面に接触する位置に設けられた大きい方の横壁２０を備える。
【００２３】
カラー１６の機能の１つは、蓋６を開けるのにある一定の量の力を加えることを必要とすることにより、蓋６を閉位置に保つことである。この目的のため、カラー１６の正面壁１８は水平スリット２１を有し、蓋６は、蓋６から内向きに突き出るタブ２２を有し（図３に示してある）、蓋６が閉位置にある時、タブは蓋６を閉位置に保持すべくスリット２１と解放自在に噛み合う。
【００２４】
可能な一実施例では、煙草パケット１の安定性を良くするために、カラー１６は、外パッケージ３の底壁１３に接触する位置に設けられた（すなわち、煙草群２の底壁と外パッケージ３の底壁１３の間に設けられた）少なくとも１つの底タブ２３を有する。これは、底壁１３に膠着させてあってよい。
【００２５】
剛性の煙草パケット１の外パッケージ３は、図５に示した平ブランク２４を折ることによって形成される。同図において、ブランク２４の部分々々は、外パッケージ３の対応する部分々々と同じ参照番号（上付き符号付きの）で表されている。
【００２６】
ブランク２４は、２本の横折り目線２５、及び、この２本の横折り目線２５の間で、小さい方の横壁８の内側部分を画定するパネル８’、大きい方の横壁１１を画定するパネル１１’、小さい方の横壁９の内側部分を画定するパネル９’、大きい方の横壁１０を画定するパネル１０’、及び、小さい方の横壁８をパネル８’の上に重ね、膠着させた時にその外側部分を画定するパネル８”を画定する多数の縦折り目線２６を備える。
【００２７】
パネル１０’及び１１’は各々２つの大きい方のタブ２７を備え、これらが、パネル１０’、１１’の向き合った端に位置し、２本の横折り目線２５によりパネル１０’、１１’から分離され、天壁１２と底壁１３の部分をそれぞれ形成する。詳記するならば、各パネル１０’、１１’のうち、大きい方のタブ２７ａが天壁１２の部分を形成し、大きい方のタブ２７ｂが底壁１３の部分を形成する。
【００２８】
パネル９’及び８”は各々２つの小さい方のタブ２８を備え、これらが、パネル９’、８”の向き合った端に位置し、２本の横折り目線２５によりパネル９’、８”から分離され、天壁１２と底壁１３の部分をそれぞれ形成する。詳記するならば、各パネル９’、８”のうち、小さい方のタブ２８ａが天壁１２の部分を形成し、小さい方のタブ２８ｂが底壁１３の部分を形成する。
【００２９】
ブランク２４は、容器４と蓋６を分離するほぼ横断方向の切り取り線２９を備える。換言すれば、蓋６は、先ず切り取り線２９に沿って容器４に接合され、煙草パケット１を開封する時、ユーザーが切り取り線２９に沿って切り取ることにより、容器４から切り離される。
【００３０】
図６は、広げられた状態のカラー１６を示す。同図において、広げられた状態のカラー１６の部分々々は、折られた状態のカラー１６の対応する部分々々と同じ参照番号（上付き符号付きの）で表されている。
【００３１】
詳記するならば、広げられた状態のカラー１６は、小さい方の壁１７を形成するパネル１７’、大きい方の壁１９を形成するパネル１９’、小さい方の壁１８を形成するパネル１８’、及び、大きい方の壁２０を形成するパネル２０’を画定する多数の縦折り目線２６を備える。底タブ２３が横折り目線２５に沿ってパネル１８’に接合される。
【００３２】
図１〜４の実施例では、縦縁１４と横縁１５がすべて方形である。図４の変形例では、縦縁１４が丸みを付けており、この場合、丸みを付けた縁１４を形成するためには、ブランク２４が、局部的に円形に曲げられるように互いに少し間隔をあけた４グループの縦折り目線を備えなければならない。図示されていない相異なる実施例では、縦縁１４のうち少なくとも幾つかが丸みを付けているか面取りされており、又は、横縁１５のうち少なくとも幾つかが丸みを付けているか面取りされている（欧州特許第０７６４５９５号で述べられたパルスパケットにおける通り）。あるいは代わりに、縦縁１４及び横縁１５の両方が非円形の縁、丸みを付けた縁、又は面取りされた縁となるように、縦縁１４の幾つか又は横縁１５の幾つかが非方形であっても、丸みを付けていても、面取りされていてもよい。
【００３３】
図示されていない異なる一実施例では、煙草パケット１が、欧州特許第１０６６２０６号で述べられた煙草パケットに似ていてよい。この場合、大きい方の横壁１０及び１１は外向き凸面で、各々平らな中央部分を有し、この平らな中央部分をつなぐ２つの湾曲した折り目のある横帯が、それぞれ鋭い非方形の縦縁１４に沿った小さい方の横壁８及び９に通じている。欧州特許第１０６６２０６号で述べられた煙草パケットには、明らかに変化を加えてよく、例えば、凸面の壁を部分的に湾曲させるか、２つの向き合った壁に対立するものとして１つの壁を湾曲させるか、小さい方の横壁８及び９を大きい方の横壁１０及び１１に対立するものとして湾曲させてよい。例として、欧州特許第１０６６２０６号で述べられた煙草パケットに僅かな変化を加えた変形例が、国際公開公報第０３／０２６９８４号で提案されている。
【００３４】
図８〜１５は、上で述べた通りの、図１に示したタイプの煙草パケット１を製造するためのブランク２４及び／又はカラー１６（すなわち、小さい方の横壁８の上にヒンジ７を付けた）を示す。詳記するならば、図８〜１５は、タブ２７、２８及び切り取り線２９の相異なる実施例を示す。
【００３５】
図１６〜２６は、上で述べた通りのブランク２４及び／又はカラー１６の変形例を示す。詳記するならば、図１６〜２６は、横折り目線２５に沿ってパネル９’、８”につながるのに対立するものとしての小さい方のタブ２８が、縦折り目線２６に沿って大きい方のタブ２７につながり、ここで、タブ２７、２８及び切り取り線２９の相異なる変形例が提案されている。
【００３６】
図２７は、パネル８’を持たないブランク２４の一変形例を示す。
【００３７】
図２８は、天縁の形状に関して、従ってまた、天縁と合致しなければならない底縁に関しても、図６のカラー１６と異なるカラー１６の４つの変形例を示す。
【００３８】
図２９及び３０は、ブランク２４の２つの変形例を示し、ここでは、パネル１１’につながる（天壁１２の部分を形成する）第１の大きい方のタブ２７ａが、天壁１２と同じ形状、同じ寸法であり、パネル１０’につながる（天壁１２の部分を形成する）第２の大きい方のタブ２７ａと小さい方のタブ２８ａ（天壁１２の部分を形成する）が、第１の大きい方のタブ２７ａの高さの半分より小さい。
【００３９】
好ましい一実施例では、第１の大きい方のタブ２７ａが矩形で、第２の大きい方のタブ２７ａは、大きい方の底辺が横折り目線２５と一致する等脚台形である。また、小さい方のタブ２８ａは各々二等辺三角形で、ブランク２４を折った時に第２の大きい方のタブ２７ａと重ならないような形である。
【００４０】
第３の大きい方のタブ２７ｂ（底壁１３の部分を形成する）が底壁１３と同じ形状、同じ寸法であり、第４の大きい方のタブ２７ｂ（底壁１３の部分を形成する）が大きい方のタブ２７ｂと同じ高さである。
【００４１】
図３０の実施例では、第３の大きい方のタブ２７ｂが矩形で、第４の大きい方のタブ２７ｂは、大きい方の底辺が横折り目線２５と一致する等脚台形の底辺と矩形の付属部分を備える合成形状である。また、小さい方のタブ２８ｂ（底壁１３の部分を形成する）は各々ほぼ三角形で、ブランク２４を折った時に第４の大きい方のタブ２７ｂと重ならないような形である。
【００４２】
図２９の実施例では、第３の大きい方のタブ２７ｂと第４の大きい方のタブ２７ｂは各々、大きい方の底辺が横折り目線２５と一致するほぼ等脚の台形で、小さい方のタブ２８ｂ（底壁１３の部分を形成する）は各々、大きい方の底辺が横折り目線２５と一致する等脚台形である。
【００４３】
図２９又は３０のブランク２４は、フォイル包装材の内シートと共に煙草群２を包むように折るのに特に適している。この場合は先ず、包装材の内シートを、２つの開いた端３０及び３１を残して煙草群２を包むようにチューブ状に折る（図３１及び３４）。次に、ブランク２４を、煙草群２を包むようにチューブ状に折り、先に折られた包装材の内シートの上で折る。次に、包装材の内シートの開いた端３０を大きい方のタブ２７ａ及び小さい方のタブ２８ａと共に折り、これにより天壁１２の部分を形成する。最後に、包装材の内シートの開いた端３１を大きい方のタブ２７ｂ及び小さい方のタブ２８ｂと共に折り、これにより底壁１３の部分を形成する。
【００４４】
図３１〜３３は、包装材の内シートの開いた端３０を、図３０に示したブランク２４の大きい方のタブ２７ａ及び小さい方のタブ２８ａと共に折る手順を示す。始めは（図３１）、包装材の内シートの開いた端３０とブランク２４の大きい方のタブ２７ａ及び小さい方のタブ２８ａが両方とも折られていない状態にあり、最初の操作（図３２）は、小さい方のタブ２８ａと包装材の内シートの対応部分３２を共に煙草群２の上に折ることである。次に（図３３）、第２の大きい方のタブ２７ａと包装材の内シートの対応部分３３を共に煙草群２の上に折る。最後に、第１の大きい方のタブ２７ａと包装材の内シートの対応部分３４を共に煙草群２の上に折り、先に折られた第２の大きい方のタブ２７ａと小さい方のタブ２８ａの上で折る。これにより、包装材の内シートの部分３４が、第２の大きい方のタブ２７ａ及び小さい方のタブ２８ａと重ならなくなる。
【００４５】
第２の大きい方のタブ２７ａがパネル１０’につながり、小さい方のタブ２８ａが、パネル１１’につながる第１の大きい方のタブ２７ａの高さの半分より小さいことから、包装材の内シートの部分３４が第２の大きい方のタブ２７ａと小さい方のタブ２８ａに重ならないように注意することが重要である。明らかに、第２の大きい方のタブ２７ａと小さい方のタブ２８ａの正確な高さは、包装材の内シートの部分３３及び３４の寸法に左右され、常に、包装材の内シートの部分３４が重なるのを防ぐように決められる。いずれにせよ、包装材の内シートの部分３４が重なるのを防ぐ上で必須の要件は、第２の大きい方のタブ２７ａと小さい方のタブ２８ａが第１の大きい方のタブ２７ａの高さの半分より小さいことである。
【００４６】
包装材の内シートの部分３４が第２の大きい方のタブ２７ａと小さい方のタブ２８ａに重なるのを防ぐことにより、蓋６は、包装材の内シートと少しも干渉することなく開けることができる。換言すれば、一度折ると、包装材の内シートの開いた端３０は、外パッケージ３から自由であり（すなわち、大きい方のタブ２７ａと小さい方のタブ２８ａに“捕まる”ことがなく）、従って、包装材の内シートを乱すことなく蓋６を開けることができる。これは、上で述べた通り、包装材の内シートとブランク２４が一緒に折られるのを可能にすることから、重要な特徴の１つである。事実、この特徴なしでは、最初に蓋６を開けた時、少なくとも包装材の内シートの部分３４が蓋６と共に持ち上げられ、その結果、包装材の内シートの折り目が変えられ、煙草パケット１内側の閉まりがひどく損なわれることになる。
【００４７】
図３４〜３６は、包装材の内シートの開いた端３１を、図３０に示したブランク２４の大きい方のタブ２７ｂ及び小さい方のタブ２８ｂと共に折る手順を示す。始めは（図３４）、包装材の内シートの開いた端３１とブランク２４の大きい方のタブ２７ｂ及び小さい方のタブ２８ｂが両方とも折られていない状態にあり、最初の操作（図３５）は、小さい方のタブ２８ｂと包装材の内シートの対応部分３５を共に煙草群２の上に折ることである。次に（図３６）、第４の大きい方のタブ２７ｂと包装材の内シートの対応部分３６を共に煙草群２の上に折る。最後に、第３の大きい方のタブ２７ｂと包装材の内シートの対応部分３７を共に煙草群２の上に折り、先に折られた第４の大きい方のタブ２７ｂと小さい方のタブ２８ｂの上で折る。これにより、包装材の内シートの対応部分３７が、少なくとも第４の大きい方のタブ２７ｂ及び小さい方のタブ２８ｂと重なることになる。
【００４８】
第４の大きい方のタブ２７ｂがパネル１０’につながり、小さい方のタブ２８ｂが、パネル１１’につながる第３の大きい方のタブ２７ａの高さの少なくとも半分であることから、包装材の内シートの部分３７が第４の大きい方のタブ２７ｂと小さい方のタブ２８ｂに重なるように注意することが重要である。明らかに、第４の大きい方のタブ２７ｂと小さい方のタブ２８ｂの正確な高さは、包装材の内シートの部分３６及び３７の寸法に左右され、常に、包装材の内シートの部分３７がかなり重なるように決められる。いずれにせよ、包装材の内シートの部分３７がかなり重なるようにする上で必須の要件は、第４の大きい方のタブ２７ｂと小さい方のタブ２８ｂが第３の大きい方のタブ２７ｂの高さの少なくとも半分で、好ましくは第３の大きい方のタブ２７ｂと同じ高さであることである。
【００４９】
包装材の内シートの部分３７を第４の大きい方のタブ２７ｂと小さい方のタブ２８ｂの上に重ねることは、包装材の内シートに包まれた煙草群２の底端を外パッケージ３の底端に定着させることにより、煙草パケット１の全体の安定性を良くすることになる。
【００５０】
図３７〜５５は、各々、図１に示した通りの煙草パケット１を形成するための（すなわち、小さい方の横壁８にヒンジ７を付けた）、各々それぞれのカラー１６を組み入れた相異なるタイプのブランク２４を示す。図３７に則して詳記するならば、各ブランク２４は、外パッケージ３を形成するための本体３８、及び、少なくとも１つの接合パネル４０により本体３８に接合された、カラー１６を形成するための端付属片３９を備える。
【００５１】
図３７〜４９に示したブランク２４は各々、図５及び図８〜３０に示したブランク２４とほぼ同じ設計の、外パッケージ３を形成する本体３８と、カラー１６を形成する端付属片３９を備え、この端付属片が本体３８の真下に位置し、２つの接合パネル４０により本体３８に接合されている。
【００５２】
図３７に則して説明すると、ブランク２４の本体３８は、２本の横折り目線２５、及び、この２本の横折り目線２５の間で、外パッケージ３の小さい方の横壁８の内側部分を画定するパネル８’、外パッケージ３の大きい方の横壁１１を画定するパネル１１’、外パッケージ３の小さい方の横壁９の内側部分を画定するパネル９’、外パッケージ３の大きい方の横壁１０を画定するパネル１０’、及び、外パッケージ３の小さい方の横壁８の外側部分を画定するパネル８”を画定する多数の縦折り目線２６を備える。
【００５３】
パネル１０’及び１１’は各々２つの大きい方のタブ２７を備え、これらが、パネル１０’、１１’の向き合った端に位置し、２本の横折り目線２５によりパネル１０’、１１’から分離され、天壁１２と底壁１３の部分をそれぞれ形成する。詳記するならば、各パネル１０’、１１’のうち、大きい方のタブ２７ａが天壁１２の部分を形成し、大きい方のタブ２７ｂが底壁１３の部分を形成する。
【００５４】
パネル９’は２つの小さい方のタブ２８を備え、これらがパネル９’の向き合った端に位置し、２本の横折り目線２５によりパネル９’から分離され、天壁１２と底壁１３の部分をそれぞれ形成する。詳記するならば、各パネル９’のうち、小さい方のタブ２８ａが天壁１２の部分を形成し、小さい方のタブ２８ｂが底壁１３の部分を形成する。
【００５５】
パネル８”は１つの小さい方のタブ２８ａを備え、これが１本の横折り目線２５によりパネル８”から分離され、天壁１２の部分を形成する。
【００５６】
図３７に則して説明すると、ブランク２４の端付属片３９は多数の縦折り目線２６を備え、これらが、カラー１６の小さい方の横壁１７の部分を形成するパネル１７’、カラー１６の大きい方の壁１９を形成するパネル１９’、カラー１６の小さい方の壁１８を形成するパネル１８’、カラー１６の大きい方の壁２０を形成するパネル２０’、及び、カラー１６の小さい方の横壁１７をパネル１７’の上に重ね、膠着させた時にその残り部分を形成する更なるパネル１７”をそれぞれ画定する。
【００５７】
ブランク２４の端付属片３９は、カラー１６の大きい方の横壁１９及び２０を形成するパネル１９’及び２０’が、外パッケージ３の対応する大きい方の横壁１０及び１１を形成するパネル１０’及び１１’と縦方向（すなわち、縦折り目線２６に平行な方向）で揃えられ、カラー１６の小さい方の横壁１７を共に形成するパネル１７’及び１７”が、外パッケージ３の対応する小さい方の横壁８を共に形成するパネル８’及び８”と縦方向で揃えられ、かつ、カラー１６の横壁１８を形成するパネル１８’が、外パッケージ３の対応する小さい方の横壁９を形成するパネル９’と縦方向で揃えられるように、ブランク２４の本体３８を基準として位置決めされている。
【００５８】
各接合パネル４０は、縦方向（すなわち、縦折り目線２６に平行な方向）に延び、一端で１つの横折り目線２５に沿ってパネル１７’、１７”にヒンジ式に留められ、反対側の端で更なる横折り目線２５に沿ってパネル８’、８”にヒンジ式に留められている。ブランク２４を折る時、２つの接合パネル４０を、２つのそれぞれの横折り目線２５を中心として、パネル１７’、１７”及びパネル８’、８”の両方に関して１８０°回転させる。これにより、両方の接合パネル４０の一方の面がパネル１７’、１７”と接触し、他方の面がパネル８’、８”と接触する。この時、ブランク２４は印刷された面と印刷されていない面を有することに注意し、カラー１６の印刷された面が外パッケージ３の印刷されていない面と接触し、そこで、組み立てられた煙草パケット１から外向きになるように接合パネル４０を上で述べた通り折ることが重要である。
【００５９】
図３７の実施例では、パネル８’が、外パッケージ３の小さい方の横壁８と同じ幅である（横折り目線２５に平行に測定して）。パネル８’において、接合パネル４０はパネル８’より細幅であり、パネル８’が接合パネル４０に沿った小さい方のタブ２８ｂを有し、これが横折り目線２５に沿ってパネル８’にヒンジ式に留められている。好ましい実施例では、接合パネル４０はパネル８’の半分の幅である。
【００６０】
図３７の実施例では、パネル８”において、接合パネル４０は外パッケージ３の小さい方の横壁８と同じ幅である（横折り目線２５に平行に測定して）。パネル８”は対応する接合パネル４０より細幅で、接合パネル４０はパネル８”に沿った小さい方のタブ２８ｂを有し、これが横折り目線２５に沿って接合パネル４０にヒンジ式に留められている。一度２つの接合パネル４０を上で述べた通り回転させると、接合パネル４０に接合された小さい方のタブ２８ｂが、パネル８’に接合された小さい方のタブ２８ｂと同じ位置を占めることに注意することが重要である。好ましい実施例では、パネル８”は接合パネル４０の半分の幅である。
【００６１】
パネル８”に接合された小さい方のタブ２８ｂと、接合パネル４０に接合された小さい方のタブ２８ｂは、パッケージ３の安定性と閉まりを良くする（すなわち、包装材の内シートの部分が外パッケージ３から見えるのを防ぐ）のに有用であるが、代替の実施例では、無くしてよい（図３９、４２及び４５に示した通り）。
【００６２】
図４６及び４７に示した更なる実施例では、パネル８’に接合された小さい方のタブ２８ｂがパネル８’より少しだけ細幅であり、対応する接合パネル４０がパネル８’に極めて近接していてよい。
【００６３】
図５１〜５６におけるブランク２４は各々、外パッケージ３を形成するための、図５及び８〜３０におけるブランク２４とほぼ同じ設計の本体３８、及び、本体３８に沿って位置し、１つの接合パネル４０により本体３８に接合された、カラー１６を形成するための端付属片３９を備える。
【００６４】
図５１に則して説明すると、ブランク２４の本体３８は、２本の横折り目線２５、及び、この２本の横折り目線２５の間で、外パッケージ３の小さい方の横壁８の内側部分を画定するパネル８’、外パッケージ３の大きい方の横壁１１を画定するパネル１１’、外パッケージ３の小さい方の横壁９の内側部分を画定するパネル９’、外パッケージ３の大きい方の横壁１０を画定するパネル１０’、及び、外パッケージ３の小さい方の横壁８の外側部分を画定するパネル８”を画定する多数の縦折り目線２６を備える。
【００６５】
パネル１０’及び１１’は各々２つの大きい方のタブ２７を備え、これらが、パネル１０’、１１’の向き合った端に位置し、２本の横折り目線２５によりパネル１０’、１１’から分離され、天壁１２と底壁１３の部分をそれぞれ形成する。詳記するならば、各パネル１０’、１１’のうち、大きい方のタブ２７ａが天壁１２の部分を形成し、大きい方のタブ２７ｂが底壁１３の部分を形成する。
【００６６】
パネル９’及び８”は各々２つの小さい方のタブ２８を備え、これらが、パネル９’、８”の向き合った端に位置し、２本の横折り目線２５によりパネル９’、８”から分離され、天壁１２と底壁１３の部分をそれぞれ形成する。詳記するならば、各パネル９’、８”のうち、小さい方のタブ２８ａが天壁１２の部分を形成し、小さい方のタブ２８ｂが底壁１３の部分を形成する。
【００６７】
図５１に則して説明すると、ブランク２４の端付属片３９は多数の縦折り目線２６を備え、これらが、カラー１６の小さい方の横壁１７の部分を形成するパネル１７’、カラー１６の大きい方の壁１９を形成するパネル１９’、カラー１６の小さい方の壁１８を形成するパネル１８’、及び、カラー１６の大きい方の壁２０を形成するパネル２０’をそれぞれ画定する。
【００６８】
接合パネル４０は、第１の側で縦折り目線２６に沿ってパネル８”にヒンジ式に留められ、第１の側に垂直な第２の側で横折り目線２５に沿ってパネル１７’にヒンジ式に留められている。同等の一実施例（図示されていない）では、接合パネル４０は、第１の側で横折り目線２５に沿ってパネル８”にヒンジ式に留められ、第１の側に垂直な第２の側で縦折り目線２６に沿ってパネル１７’にヒンジ式に留められている。
【００６９】
ブランク２４を折る時、接合パネル４０を先ず、横折り目線２５を中心としてパネル１７’に関して１８０°回転させ、次に、縦折り目線２６を中心としてパネル８”に関して１８０°回転させる。これにより、ブランク２４の端付属片３９がブランク２４の本体３８の上を１８０°回転する。この時、ブランク２４は印刷された面と印刷されていない面を有することに注意し、カラー１６の印刷された面が外パッケージ３の印刷されていない面と接触し、そこで、組み立てられた煙草パケット１から外向きになるように接合パネル４０を上で述べた通り折ることが重要である。
【００７０】
図面に示した通り、接合パネル４０とパネル１７’は縦方向（すなわち、縦折り目線２６に平行な方向）で揃えられている。
【００７１】
図５１、５３及び５４に示した実施例では、パネル８”が、中心穴を持つＣ字形パネルで、その中に接合パネル４０とパネル１７’が形成されている。図５２、５５及び５６に示した実施例では、パネル８”が矩形で、接合パネル４０がパネル８”とパネル１９’の間に位置する。
【００７２】
好ましい実施例では、カラー１６の横壁１７、１８、１９、２０が、外パッケージ３の対応する横壁８、９、１０、１１より細幅である（横折り目線２５に平行に測定して）。詳記するならば、カラー１６の各横壁１７、１８、１９、２０は、ブランク２４の厚みの２倍に等しい分だけ、外パッケージ３の対応する横壁８、９、１０、１１より細幅である。このカラー１６と外パッケージ３の間の寸法差は、外周の長さが内周の長さより大きいことによるもので（事実、カラー１６が外パッケージ３の内側に全部収納される）、この寸法差が無ければ、カラー１６の横壁１７、１８、１９、２０は、外パッケージ３の中に挿入された時に変形することになり、その結果、外観と機能の両方が損なわれることになろう（ブランク２４を折ることが困難になる、蓋６を閉めるときに蓋がカラー１６をつぶす可能性が大、煙草パケット１の全体としての機械的強さが低下する）。
【００７３】
明らかに、上で述べたカラー１６の横壁１７、１８、１９、２０の、外パッケージ３の対応する横壁８、９、１０、１１との幅の差は、ブランク２４にも反映される。それゆえ、ブランク２４ごとに、端付属片３９のパネル１７’、１７”、１８’、１９’、２０’は本体３８の対応するパネル８’、８”、９’、１０’、１１’より細幅である（横折り目線２５に平行に測定して）。詳記するならば、カラー１６の各横壁１７、１８、１９、２０は、ブランク２４の厚みの２倍に等しい分だけ、外パッケージ３の対応する横壁８、９、１０、１１より細幅である。
【００７４】
述べた通り、カラー１６の正面壁１８は水平スリット２１を有し、蓋６は、蓋６から内向きに突き出るタブ２２を有し（図３に示してある）、蓋６が閉位置にある時、タブは蓋６を閉位置に保持すべくスリット２１と解放自在に噛み合う。図８〜２３、２５〜４８及び５１〜５５に示したブランク２４では、タブ２２が、パネル９’に三日月形の切り込みを入れることによって形成される。これに対し図４９、５０及び５６に示したブランク２４では、タブ２２が、最初にカラー１６の小さい方の横壁１８（すなわち、ブランク２４の端付属片３９のパネル１８’）に切り取り線４２に沿って接合された接合タブ４１に、横折り目線２５に沿ってヒンジ式に留められている。
【００７５】
ブランク２４を折る時、先ずタブ２２を、横折り目線２５を中心として１８０゜接合タブ４１の上に折り、次に、切り取り線４２を中心として１８０゜接合タブ４１をカラーの小さい方の横壁１８の上（すなわち、ブランク２４の端付属片３９のパネル１８’の上）に折る。そして、カラー１６（すなわち、ブランク２４の端付属片３９）を外パッケージ３（すなわち、ブランク２４の本体３８）に当てる時、蓋６の縁で接合タブ４１を外パッケージ３の小さい方の横壁９の（すなわち、ブランク２４の本体３８のパネル９’の）内面に膠着させる。これにより、タブ２２はスリット２１の中に一部挿入される。
【００７６】
図２４は、ブランク２４の異なる一実施例を示し、ここでは、接合タブ４１が縦折り目線２６に沿って大きい方のタブ２７ａに接合され、更なる縦折り目線２６に沿ってタブ２２に接合されている。このケースでは、ブランク２４を折る時、先ずタブ２２を、縦折り目線２６を中心として１８０゜接合タブ４１の上に折り、次に、この接合タブを縦折り目線２６を中心として９０゜折り、外パッケージ３の小さい方の横壁９の（すなわち、ブランク２４のパネル９’の）内面に膠着させる。
【００７７】
図４９は、ブランク２４の更なる一実施例を示し、ブランク２４のパネル９’の接合タブとして、横折り目線２５に沿って接合された２つの連続する接合タブ４１を備える。このケースでは、ブランク２４を折る時、先ずタブ２２を、横折り目線２５を中心として１８０゜第１の接合タブ４１の上に折り、次に、２つの接合タブ４１を折り、外パッケージ３の小さい方の横壁９の（すなわち、ブランク２４のパネル９’の）内面に膠着させる。
【００７８】
接合タブ４１とタブ２２を備えるカラー１６も図２８ａにも示してある。
【００７９】
最初に蓋６を開ける時、タブ２２をスリットから引き出すのに必要な力により、切り取り線４２が普通に破られ、接合タブ４１とタブ２２がカラー１６から外される。
【００８０】
図５６の実施例では、どのようにして接合タブ４１を、従ってまた、タブ２２をパネル１８’に関して僅かに片寄らせるのか注目すると興味深い。事実、（上で述べた通り）ブランク２４の端付属片３９のパネル１７’、１８’、１９’、２０’が本体３８の対応するパネル８’、８”、９’、１０’、１１’より細幅であることから（横折り目線２５に平行に測定して）、この方法でしか、タブ２２をブランク２４の本体３８のパネル９’に関して正確に位置決めすることはできない。
【００８１】
その多数の利点があれば、上で述べた通りの煙草パケット１の設計も、煙草群に対立するものとしての煙草パケットを除いて、上で述べたパケット１とほぼ同じ煙草パケットのカートン（硬いのと軟らかいのと両方）の製造に一体的に加えてよい。
【図面の簡単な説明】
【００８２】
【図１】本発明に従って製造された剛性の煙草パケットを蓋の閉じた状態において示す正面斜視図である。
【図２】図１の剛性の煙草パケットを蓋の開いた状態において示す正面斜視図である。
【図３】図１の剛性の煙草パケットの外パッケージを蓋の開いた状態において示す正面斜視図である。
【図４】図１の剛性の煙草パケットのカラーを示す背面斜視図である。
【図５】図１〜４に示した剛性の煙草パケットの外パッケージを形成する平ブランクの平面図である。
【図６】図１〜４に示した剛性の煙草パケットのカラーの平面図である。
【図７】図１〜４に示した剛性の煙草パケットの一変形例を示す正面斜視図である。
【図８】図１に示したタイプの煙草パケットを製造するためのブランク及び／又はカラーの更なる一変形例である。
【図９】図１に示したタイプの煙草パケットを製造するためのブランク及び／又はカラーの更なる一変形例である。
【図１０】図１に示したタイプの煙草パケットを製造するためのブランク及び／又はカラーの更なる一変形例である。
【図１１】図１に示したタイプの煙草パケットを製造するためのブランク及び／又はカラーの更なる一変形例である。
【図１２】図１に示したタイプの煙草パケットを製造するためのブランク及び／又はカラーの更なる一変形例である。
【図１３】図１に示したタイプの煙草パケットを製造するためのブランク及び／又はカラーの更なる一変形例である。
【図１４】図１に示したタイプの煙草パケットを製造するためのブランク及び／又はカラーの更なる一変形例である。
【図１５】図１に示したタイプの煙草パケットを製造するためのブランク及び／又はカラーの更なる一変形例である。
【図１６】図８に示したブランク及び／又はカラーの更なる一変形例である。
【図１７】図８に示したブランク及び／又はカラーの更なる一変形例である。
【図１８】図８に示したブランク及び／又はカラーの更なる一変形例である。
【図１９】図８に示したブランク及び／又はカラーの更なる一変形例である。
【図２０】図８に示したブランク及び／又はカラーの更なる一変形例である。
【図２１】図８に示したブランク及び／又はカラーの更なる一変形例である。
【図２２】図８に示したブランク及び／又はカラーの更なる一変形例である。
【図２３】図８に示したブランク及び／又はカラーの更なる一変形例である。
【図２４】ブランクの更に異なる一実施例である。
【図２５】図２４に示したブランクの一変形例である。
【図２６】図２４に示したブランクの更なる一変形例である。
【図２７】図２４に示したブランクの、パネル８’を持たない変形例である。
【図２８】図６に示したカラーと異なるカラーの４つの変形例である。
【図２９】図２４に示したブランクの更に異なる一実施例である。
【図３０】図２４に示したブランクの更に異なる一実施例である。
【図３１】図３０に示したブランクの大きい方のタブと小さい方のタブの両方が折られていない状態を示す。
【図３２】図３０に示したブランクの小さい方のタブと包装材の内シートの対応部分を共に煙草群の上に折った状態を示す。
【図３３】図３０に示したブランクの第２の大きい方のタブと包装材の内シートの対応部分を共に煙草群の上に折った状態を示す。
【図３４】図３０に示したブランクの大きい方のタブと小さい方のタブの両方が折られていない状態を示す。
【図３５】図３０に示したブランクの小さい方のタブと包装材の内シートの対応部分を共に煙草群の上に折った状態を示す。
【図３６】図３０に示したブランクの第４の大きい方のタブと包装材の内シートの対応部分を共に煙草群の上に折った状態を示す。
【図３７】図１に示した煙草パケットを形成するための、カラーを組み入れたブランクを示す。
【図３８】図３７に示したブランクの一変形例である。
【図３９】図３７に示したブランクの更なる一変形例である。
【図４０】図３７に示したブランクの更なる一変形例である。
【図４１】図３７に示したブランクの更なる一変形例である。
【図４２】図３７に示したブランクの更なる一変形例である。
【図４３】図３７に示したブランクの更なる一変形例である。
【図４４】図３７に示したブランクの更なる一変形例である。
【図４５】図３７に示したブランクの更なる一変形例である。
【図４６】図１に示した煙草パケットを形成するための、カラーを組み入れたブランクの一実施例である。
【図４７】図４６に示したブランクの、切り取り線の異なる一変形例である。
【図４８】図４６に示したブランクの更に異なる一変形例である。
【図４９】図１に示した煙草パケットを形成するためのブランクの更なる一実施例である。
【図５０】図４９に示したブランクの一変形例である。
【図５１】図５及び８〜３０に示したブランクとほぼ同じ設計のブランクの一実施例である。
【図５２】図５１に示したブランクの一変形例である。
【図５３】図５１に示したブランクの更なる一変形例である。
【図５４】図５１に示したブランクの更なる一変形例である。
【図５５】図５１に示したブランクの更なる一変形例である。
【図５６】図５１に示したブランクにおいてタブ２２をパネル１８’に関して僅かに片寄らせた実施例である。
【図１】
0005563196.tif 000002
【図２】
0005563196.tif 000003
【図３】
0005563196.tif 000004
【図４】
0005563196.tif 000005
【図５】
0005563196.tif 000006
【図６】
0005563196.tif 000007
【図７】
0005563196.tif 000008
【図８】
0005563196.tif 000009
【図９】
0005563196.tif 000010
【図１０】
0005563196.tif 000011
【図１１】
0005563196.tif 000012
【図１２】
0005563196.tif 000013
【図１３】
0005563196.tif 000014
【図１４】
0005563196.tif 000015
【図１５】
0005563196.tif 000016
【図１６】
0005563196.tif 000017
【図１７】
0005563196.tif 000018
【図１８】
0005563196.tif 000019
【図１９】
0005563196.tif 000020
【図２０】
0005563196.tif 000021
【図２１】
0005563196.tif 000022
【図２２】
0005563196.tif 000023
【図２３】
0005563196.tif 000024
【図２４】
0005563196.tif 000025
【図２５】
0005563196.tif 000026
【図２６】
0005563196.tif 000027
【図２７】
0005563196.tif 000028
【図２８】
0005563196.tif 000029
【図２９】
0005563196.tif 000030
【図３０】
0005563196.tif 000031
【図３１】
0005563196.tif 000032
【図３２】
0005563196.tif 000033
【図３３】
0005563196.tif 000034
【図３４】
0005563196.tif 000035
【図３５】
0005563196.tif 000036
【図３６】
0005563196.tif 000037
【図３７】
0005563196.tif 000038
【図３８】
0005563196.tif 000039
【図３９】
0005563196.tif 000040
【図４０】
0005563196.tif 000041
【図４１】
0005563196.tif 000042
【図４２】
0005563196.tif 000043
【図４３】
0005563196.tif 000044
【図４４】
0005563196.tif 000045
【図４５】
0005563196.tif 000046
【図４６】
0005563196.tif 000047
【図４７】
0005563196.tif 000048
【図４８】
0005563196.tif 000049
【図４９】
0005563196.tif 000050
【図５０】
0005563196.tif 000051
【図５１】
0005563196.tif 000052
【図５２】
0005563196.tif 000053
【図５３】
0005563196.tif 000054
【図５４】
0005563196.tif 000055
【図５５】
0005563196.tif 000056
【図５６】
0005563196.tif 000057